(57)【要約】      （修正有）【課題】軽量であって、長時間使用しても煩わしさや違和感を感じさせることがなく、金属アレルギーの使用者であっても問題なく使用でき、高級感を醸し出せ、用途が限定されないアクセサリーを提供する。【解決手段】機械ミシンにより刺繍糸で縫製して立体的に形成された装飾要素を有するアクセサリーの製作方法であって、製作するアクセサリーのパターンをコンピュータソフトウェアを用いて作成するパターン作成工程Ａと、前記パターンに基づき前記機械ミシンの縫製針の作動を制御する制御データを作成する制御データ作成工程Ｂと、前記制御データに基づき前記機械ミシンの縫製針により水溶紙上に前記刺繍糸を打ち込み、前記パターンに従って水溶紙上に刺繍糸によりアクセサリーを縫製する縫製工程Ｃと、前記アクセサリーが縫製された水溶紙を水に含浸させて水溶紙を溶かし前記アクセサリーを得る水溶紙溶解工程Ｄとを備えている。【選択図】図１
2018119225.tif 000002
【特許請求の範囲】
【請求項１】
機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備えたことを特徴とするアクセサリーの製作方法。
【請求項２】
前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とする請求項１記載のアクセサリーの製作方法。
【請求項３】
前記装飾要素は、複数の球状装飾部と、前記複数の球状装飾部を相互に接合する紐状接続部とを有することを特徴とする請求項２記載のアクセサリーの製作方法。
【請求項４】
前記球状装飾部は、互いに所定間隔をおいて設けられていることを特徴とする請求項３記載のアクセサリーの製作方法。
【請求項５】
前記球状装飾部は、互いに当接し連続して設けられていることを特徴とする請求項３記載のアクセサリーの製作方法。
【請求項６】
前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする請求項４記載のアクセサリーの製作方法。
【請求項７】
前記球状装飾部は、前記紐状接続部の長さ方向に沿って互いに当接すると共に前記紐状接続部の径方向において互いに当接して、前記紐状接続部の径方向において複数列に設けられていることを特徴とする請求項５記載のアクセサリーの製作方法。
【発明の詳細な説明】
【技術分野】
【０００１】
本発明はアクセサリーの製作方法に係り、特に、刺繍糸により縫製されたアクセサリーの製作方法に関する。
【背景技術】
【０００２】
ネックレスやブレスレット等の様々なアクセサリーが広く使用されている。しかしながら、いずれのアクセサリーも全体が金属製のものが多く、使用者が装着した場合には相応の重量感を伴うものであり、長時間の使用には煩わしさが伴うこともある。
【０００３】
また、使用者が金属製のネックレスやブレスレットを装着した場合には金属の質感を感じざるをえず、長時間装着し続けた場合には違和感を感じることが多い、という事情もあった。さらに、金属製のアクセサリーにあっては、使用者が金属アレルギーの場合には装着が不可能となる場合もあった。
【０００４】
一方、合成樹脂により装飾部が作成されたアクセサリーも存在するがアクセサリーとしての高級感に欠けるため用途が限定されてしまうものであった。
従って、以前より、軽量であって、長時間使用しても煩わしさや違和感を感じさせることのなく、金属アレルギーの使用者であっても使用でき、高級感を醸し出せるアクセサリーが要望されていた。このような観点から本件出願人は従来技術に関する調査を行い以下の文献を抽出した。
【先行技術文献】
【特許文献】
【０００５】
【特許文献１】特表２００３−５２００８３号公報
【特許文献２】特開２０１２−９５８９８号公報
【特許文献３】実用新案登録第３０６７５７３号公報
【特許文献４】実用新案登録第３０６６１０５号公報
【特許文献５】特開昭６３−２１１３８７号公報
【特許文献６】特開２０１３−１４６３６７号公報
【発明の概要】
【発明が解決しようとする課題】
【０００６】
しかしながら、特許文献１に開示された技術は、「装身用網目構造物を製造する方法と該方法によって得られる網目構造物」に関するものであり、縦糸及び横糸により網目構造を形成し、縦糸及び横糸に多数の玉または環状スリーブを挿通させて形成するものであり、全体がすべて糸により形成されるものではいことから、全体として所定の重量感があり、前記要請には応えられない。
【０００７】
また、特許文献２に開示された技術はビーズアクセサリーに関するものであり、前記同様の問題がある。特許文献３に開示された技術は金属製筒状体を絞り加工して装飾用鎖を形成するものであり、特許文献４は装飾チェーンに止め金具を装着した使用するものであり、いずれも前記の要請に応えられるものではない。
【０００８】
また、特許文献５及び６には、水溶紙に刺繍を施して平面状の透かし模様を含む単独の刺繍模様を作成する技術や、複数の刺繍模様を接続してより大きな透かし模様を作成するための刺繍データを作成する刺繍データ作成装置が開示されているが、装身できるようなアクセサリーを作製する技術ではなく、前記の要請に応えられるものではない。
【０００９】
そこで、本発明の課題は、軽量であって、長時間使用しても煩わしさや違和感を感じさせることがなく、金属アレルギーの使用者であっても問題なく使用でき、高級感を醸し出せ、用途が限定されないアクセサリーを提供することにある。
【課題を解決するための手段】
【００１０】
前記課題を解決するために、請求項１記載の発明にあっては、機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備えたことを特徴とする。
【００１１】
従って、前記パターン作成工程によって、製作するアクセサリーのパターンが作成され、前記制御データ作成工程によって、前記パターンに基づき前記機械ミシンの縫製針の作動を制御する制御データが作成され、前記縫製工程によって、前記制御データに基づき前記機械ミシンの縫製針により水溶紙上に前記刺繍糸が打ち込まれ、前記パターンに従って水溶紙上に刺繍糸によりアクセサリーが縫製され、前記水溶紙溶解工程によって、前記アクセサリーが縫製された水溶紙が水に含浸され水溶紙が溶かされ、前記アクサセリーが得られる。
その結果、機械ミシンを使用して水溶紙を介してあらかじめ作成したパターンに基づき、刺繍により形成された、全体として立体的な印象を与えるアクセサリーが製作されるように構成されている。ここに「水溶紙」とは、水やお湯に浸した場合には溶解する紙の総称である。
【００１２】
請求項２記載の発明にあっては、前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とする。
【００１３】
従って、前記機械ミシンの上糸及び下糸によって、水溶紙の表面部及び裏面部に、夫々、平面状の刺繍を基礎とした立体的に形成された装飾要素が作製される。
【００１４】
請求項３記載の発明にあっては、前記装飾要素は、複数の球状装飾部と、前記複数の球状装飾部を相互に接合する紐状接続部とを有することを特徴とする。
【００１５】
請求項４記載の発明にあっては、前記球状装飾部は、互いに所定間隔をおいて設けられていることを特徴とする。
【００１６】
請求項５記載の発明にあっては、前記球状装飾部は、互いに当接し連続して設けられていることを特徴とする。
【００１７】
請求項６記載の発明にあっては、前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする。
従って、全体としてマス目状に形成されたアクセサリーが製作される。
【００１８】
請求項７記載の発明にあっては、前記球状装飾部は、前記紐状接続部の長さ方向に沿って互いに当接すると共に前記紐状接続部の径方向において互いに当接して、前記紐状接続部の径方向において複数列に設けられていることを特徴とする。
従って、全体として前記紐状接続部の径方向において前記球状装飾部が複数列に設けられたアクセサリーが製作される。
【発明の効果】
【００１９】
請求項１〜７記載の発明にあっては、機械ミシンを使用して水溶紙を介してあらかじめ作成したパターンに基づき、刺繍糸により形成された立体的な装飾要素を備え、全体として立体的な印象を与えるアクセサリーが製作される。
その結果、立体的な装飾要素を備えていても、金属製の素材を使用していないことから、
軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００２０】
特に、請求項２記載の発明にあっては、前記機械ミシンの上糸及び下糸によって、水溶紙の表面部及び裏面部に、夫々、平面状の刺繍を基礎として立体的に形成された装飾要素が作製されるので、形成された装飾要素はほつれにくく耐久性を有する。
その結果、軽量でありつつ、十分な耐久性を有する刺繍からなるアクセサリーを提供することができる。
【００２１】
請求項３〜７記載の発明にあっては、全体として複雑な形状を有するアクセサリーを作製することができ、その結果、需要者への訴求効果の高いアクサセリーを容易に作製することができる。
【図面の簡単な説明】
【００２２】
【図１】図１（ａ）は、本発明に係るアクセサリーの製作方法の一実施の形態において、アクセサリーの製作方法の工程の流れを示すフローチャートであり、図１（ｂ）は、図１（ａ）中の縫製工程の流れを示すフローチャートである。
【図２】図２は、本発明に係るアクセサリーの製作方法の一実施の形態において、機械ミシンを示す斜視図である。
【図３】図３は、本発明に係るアクセサリーの製作方法の一実施の形態において、機械ミシンによって水溶紙上に刺繍糸によりアクセサリーを縫製している状態を示す斜視図である。
【図４】図４は、本発明に係るアクセサリーの製作方法の一実施の形態において、機械ミシンにおける上糸を繰り出す装置を示す斜視図である。
【図５】図５は、本発明に係るアクセサリーの製作方法の一実施の形態において、機械ミシンにおける下糸を繰り出す装置を示す斜視図である。
【図６】図６（ａ）は、本発明に係るアクセサリーの製作方法の一実施の形態において、機械ミシンによって水溶紙上に刺繍糸により平面状の刺繍が縫製された状態を示す断面図、図６（ｂ）は、機械ミシンによって平面状の刺繍が縫製された水溶紙上に立体状の装飾要素が縫製された状態を示す断面図である。
【図７】図７は、本発明に係るアクセサリーの製作方法の一実施の形態において、機械ミシンによって水溶紙上に刺繍糸により刺繍を縫製する際の刺繍針を落とす位置と、刺繍針によって刺繍糸が縫製される位置とを描画イメージとして作成した刺繍パターンを示す概念図である。
【図８】図８は、本発明に係るアクセサリーの製作方法によって製作されたアクセサリーの第一の実施の形態を示す斜視図である。
【図９】図９（ａ）、（ｂ）、（ｃ）は、本発明に係るアクセサリーの製作方法によって製作されたアクセサリーの第二の実施の形態を示す斜視図である。
【図１０】図１０は、本発明に係るアクセサリーの製作方法によって製作されたアクセサリーの第三の実施の形態を示す斜視図である。
【発明を実施するための形態】
【００２３】
以下、本発明に係るアクセサリーの製作方法を実施の形態に基づき、図面を参照して詳細に説明する。
図１（ａ）に示すように、本実施の形態に係るアクセサリーの製作方法は、機械ミシンにより刺繍糸で縫製して立体的に形成された装飾要素を有するアクセサリーの製作方法として構成されており、製作するアクセサリーのパターンをコンピュータソフトウェアを用いて作成するパターン作成工程Ａと、前記パターンに基づき前記機械ミシンの縫製針の作動を制御する制御データを作成する制御データ作成工程Ｂと、前記制御データに基づき前記機械ミシンの縫製針により水溶紙上に前記刺繍糸を打ち込み、前記パターンに従って水溶紙上に刺繍糸によりアクセサリーを縫製する縫製工程Ｃと、前記アクセサリーが縫製された水溶紙を水に含浸させて水溶紙を溶かし前記アクセサリーを得る水溶紙溶解工程Ｄとを備えている。
【００２４】
また、図１（ｂ）に示すように、縫製工程Ｃは、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程Ｃ１と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程Ｃ２とを備えている。
【００２５】
図２に示すように、本実施の形態において使用される機械ミシン１０は、複数機の機械ミシン装置１１が並列に連装されており、複数のアクセサリーを同時並行的に作製できるように構成されている。本実施の形態に係る機械ミシン装置１１は、チェーンステッチが可能な刺繍機を使用している。
【００２６】
図２〜図４に示すように、本実施の形態に係る機械ミシン装置１１は、ミシン本体部１２と、ミシン本体部１２を駆動する駆動部（図示せず）と、被縫製体を載置する縫製台１３と、駆動部により駆動される回転軸部（図示せず）と、回転軸部に装着され、上糸（刺繍糸）１４が巻装される複数個のボビン（図示せず）と、ボビンに巻装された上糸１４を打ち込んで縫製する刺繍針１５とを備えている。
図２〜図４に示すように、本実施の形態に係るミシン本体部１２には、上糸１４を挿通させる合成樹脂製のスパイラルチューブ１６と、上糸１４の張力を調整しうるロータリーテンションディスク１７と、刺繍針１５へ上糸１４を誘導する誘導部１８と、被縫製体を縫製台１３との間で挟持する布押さえ１９とを有している。
また、図２に示すように、本実施の形態に係る機械ミシン装置１１には、鎖状に刺繍を行うチェーンステッチを施すためのチェーンステッチ用頭部２０、チェーンステッチに用いるスパンコールを供給するスパンコール供給部６１が設けられている。
【００２７】
図５は、縫製台１３の下方から見た斜視図である。図５に示すように、本実施の形態に係るミシン本体部１２には、縫製台１３のボビンケース（図示せず）に巻装された下糸（刺繍糸）２１を繰り出す釜２２と、釜２２を回転させる駆動部２３とを有し、釜２２に連設された剣先（図示せず）が上糸１４と係合し、下糸２１と絡ませて縫合することによって球状等の立体的な刺繍が縫製されるように構成されている。
【００２８】
これらの機械ミシン装置１１はコンピュータ制御により作動する。即ち、製作者が適宜、接続されたコンピュータ（図示せず）のディスプレイ上においてマウス等の入力装置を使用して所定のソフトウェアにより、図７に示すような描画イメージとして作成した刺繍パターン６２を、ＣＰＵにより電子データに変換して数値し、ＣＰＵは数値化された電子データに基づき、適宜、駆動部を制御して、針の打ち込み方向、間隔、ステッチの種類、送り出す刺繍糸の種類、刺繍糸の送り出し量、使用するステッチの種類等を適宜制御できるように構成されている。
【００２９】
従って、本実施の形態におけるパターン作成工程Ａ、及び、制御データ作成工程Ｂは、コンピュータ処理により自動的に行われる。
【００３０】
また、本実施の形態にあっては、製作する刺繍アクセサリーは適宜の水溶紙上に縫製して作製される。
即ち、本実施の形態に係る刺繍アクセサリーの製作方法における縫製工程Ｃは、縫製台１３上に適宜のスペックの水溶紙２４を載置し、水溶紙２４上に対して刺繍針１５を前記コンピュータ制御により、適宜の角度、適宜の間隔、適宜の刺繍糸を使用して適宜のステッチを用いることにより水溶紙２４上に目的とする刺繍アクセサリーを縫製して形成するように構成されている。
【００３１】
また、特に、本実施の形態に係る縫製工程Ｃにあっては、平面状の刺繍を作製する工程Ｃ１と、立体的に形成された装飾要素を作製する工程Ｃ２とを有している。
図６（ａ）に示すように、平面状の刺繍を作製する工程Ｃ１は、水溶紙２４の表面部２５及び裏面部２６において、機械ミシンの上糸１４を表面部２５に、機械ミシンの下糸２１を裏面部２６に夫々縫製し、表面部２５及び裏面部２６に夫々、平面状の刺繍２７、２８を作製するように構成されている。図示しないが、本実施の形態において、上糸１４と下糸２１とは水溶紙２４を介して縫合されている。
【００３２】
続いて、図６（ｂ）に示すように、立体的に形成された装飾要素を作製する工程Ｃ２は、水溶紙２４の表面部２５及び裏面部２６に作製された平面状の刺繍２７、２８に機械ミシンの上糸１４及び下糸２１を夫々縫製し、表面部２５及び裏面部２６に夫々、立体的に形成された装飾要素２９、３０を作製するように構成されている。
【００３３】
より具体的には、図２〜図５に示すように、布押さえ１９と縫製台１３との間で挟持された水溶紙２４に対して、スパイラルチューブ１６を通り、ロータリーテンションディスク１７によって張力を調整しながら誘導部１８によって誘導された上糸１４を、刺繍針１５によって打ち込む。
続いて、縫製台１３の下方において、駆動部２３により回転する釜２２から繰り出された下糸２１が、釜２２が有する剣先によって上糸１４と係合し、その後、下糸２１と係合した状態で、上糸１４が刺繍針１５によって打ち込まれることによって、刺繍糸１４、２１が水溶紙２４に対して縫製される。
本実施の形態にあっては、水溶紙２４の同じ位置に対して複数回刺繍針１５を打ち込むことによって、刺繍糸１４、２１が水溶紙２４の厚さ方向に重なるように縫製される。その結果、図６（ｂ）に示すように、立体状の装飾要素２９、３０が形成される。
【００３４】
この際、図７に示すように、本実施の形態に係る刺繍針１５は、機械ミシン装置１１と接続されたコンピュータ（図示せず）において、所定のソフトウェアにより描画イメージとして作成した刺繍パターン６２に基づいて、制御される。
図７に示すように、本実施の形態に係る刺繍パターン６２は、球状の装飾要素を縫製する場合のパターンであって、刺繍パターン６２には、刺繍針１５が打ち込まれる位置を示す、同心円状であって、径方向及び周方向に所定間隔寸法離間して配置された刺繍針打込位置６３と、刺繍針打込位置６３に刺繍針１５を打ち込んだ際に刺繍糸１４、２１が縫製される位置を示す刺繍糸縫製位置６４とが表示されている。
図７に示すように、本実施の形態にあっては、刺繍針１５が打ち込まれる位置を約０．５ｍｍ間隔で僅かに変化させ、偏りなく球状の装飾要素が形成されるように構成されている。
【００３５】
その後、水溶紙溶解工程Ｄにおいて、アクセサリーが縫製された水溶紙を水に含侵させて水溶紙を溶かし前記アクセサリーを得るものである。
前記したように、上糸と下糸とは水溶紙を介して縫合されているため、水溶紙溶解工程Ｄによって水溶紙を溶かした場合であっても、立体的に形成された装飾要素２９、３０は分離することなく、一体に形成された装飾要素として形成される。
すなわち、図６に示すように、本実施の形態にあっては、水溶紙２４の表面部２５及び裏面部２６に夫々、半球状の装飾要素２９、３０を形成しており、この場合には、水溶紙溶解工程Ｄによって、水溶紙を溶かし、球状の装飾要素を有するアクセサリーを得ることができる。
【００３６】
このような製造方法により作成される刺繍アクセサリーには、様々なバリエーションが存在する。
図８は、第一の実施形態であるネックレス型の刺繍アクセサリー３０を示し、本実施の形態に係る刺繍アクセサリー３０にあっては、アクセサリーを構成する装飾要素３１は立体的に形成されている。
図８に示すように、本実施の形態に係る装飾要素３１は複数の球状装飾部３２ａ、３２ｂ・・・と、複数の球状装飾部３２ａ、３２ｂ・・・を相互に接合する紐状接続部３３、３３・・・とにより構成されている。
図８に示すように、本実施の形態に係る球状装飾部は、約１ｃｍの径寸法を有する大球状装飾部３２ａと、約５ｍｍの径寸法を有する小球状装飾部３２ｂとにより構成されている。
また、図８に示すように、本実施の形態に係る刺繍アクセサリー３０には、アクセサリーの端部同士を接合して、首に巻装するための接合部材３４と、接合部材３４に接合する引き輪部材３５とを有している。
【００３７】
図９は、第二の実施形態であるネックレス型の刺繍アクセサリー４０を示し、図９（ａ）、（ｂ）、（ｃ）には、夫々、色彩の異なる３種類の刺繍アクセサリー４０ａ、４０ｂ、４０ｃを示す。ここでは、刺繍アクセサリー４０ａを例に説明する。
図９（ａ）に示すように、本実施の形態に係る刺繍アクセサリー４０ａは、複数の球状装飾部４１、４１・・・と、複数の球状装飾部４１、４１・・・を相互に接合する紐状接続部４２、４２・・・とにより構成されている。
図９（ａ）に示すように、本実施の形態に係る球状装飾部４１は、約１ｃｍの径寸法を有する球状の装飾部として構成されている。
また、図９（ａ）に示すように、本実施の形態に係る刺繍アクセサリー４０ａには、アクセサリーの端部同士を接合して、首に巻装するための接合部材４３が設けられている。
なお、刺繍アクセサリー４０ｂ、４０ｃにおいては、刺繍アクセサリー４０ａの構成と同一であり、同一符号で表すことにより説明を省略する。
【００３８】
図１０は、第三の実施形態であるネックレス型の刺繍アクセサリー５０である。図１０に示すように、本実施の形態に係る刺繍アクセサリー５０は、複数の球状装飾部５１、５１・・・と、複数の球状装飾部５１、５１・・・を相互に接合する紐状接続部５２、５２・・・とにより構成されている。
図１０に示すように、本実施の形態にあっては、球状装飾部５１、５１・・・は相互に所定間隔を置いて平面十字方向に所定間隔をおいて上下左右方向に連続して配置されると共に、紐状接続部５２、５２は前記十字方向に配置された複数の球状装飾部５１、５１・・・の間に配置されて球状装飾部５１、５１・・・を相互に接合し、全体としてマス目状に形成されている。
【００３９】
以下、本実施の形態に係るアクセサリーの製作方法の効果について、図を参照しながら詳細に説明する。
【００４０】
図１〜図７に示すように、本実施の形態に係るアクセサリーの製作方法にあっては、機械ミシン１０を使用して水溶紙２４を介してあらかじめ作成したパターンに基づき、刺繍糸１４、２１により形成された立体的な装飾要素を備え、全体として立体的な印象を与えるアクセサリーが製作される。
その結果、立体的な装飾要素を備えていても、金属製の素材を使用していないことから、
軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００４１】
特に、図７に示すように、本実施の形態に係るアクセサリーの製作方法にあっては、機械ミシン１０の上糸１４及び下糸２１によって、水溶紙２４の表面部２５及び裏面部２６に、夫々、平面状の刺繍２７、２８を基礎として立体的に形成された装飾要素２９、３０が作製されるので、形成された装飾要素２９、３０はほつれにくく耐久性を有する。
その結果、軽量でありつつ、十分な耐久性を有する刺繍からなるアクセサリーを提供することができる。
【００４２】
また、本実施の形態に係るアクセサリーの製作方法にあっては、図８〜１０に示す刺繍アクセサリー３０、４０ａ、４０ｂのように、全体として複雑な形状を有するアクセサリーを作製することができ、その結果、需要者への訴求効果の高いアクサセリーを容易に作製することができる。
【産業上の利用可能性】
【００４３】
本発明は、アクセサリーの製作方法に広く適用可能であり、産業上利用可能性を有している。
【符号の説明】
【００４４】
１０：機械ミシン
１１：機械ミシン装置
１２：ミシン本体部
１３：縫製台
１４：上糸
１５：刺繍針
１６：スパイラルチューブ
１７：ロータリーテンションディスク
１８：誘導部
１９：布押さえ
２０：チェーンステッチ用頭部
２１：下糸
２２：釜
２３：駆動部
２４：水溶紙
２５：水溶紙の表面部
２６：水溶紙の裏面部
２７、２８：刺繍
２９：装飾要素
３０、４０、４０ａ、４０ｂ、４０ｃ、５０：刺繍アクセサリー
３１：装飾要素
３２：球状装飾部
３２ａ：大球状装飾部
３２ｂ：小球状装飾部
３３：紐状接続部
３４：接合部材
３５：引き輪部材
４１：球状装飾部
４２：紐状接続部
４３：接合部材
５１：球状装飾部
５２：紐状接続部
６１：スパンコール供給部
６２：刺繍パターン
６３：刺繍針打込位置
６４：刺繍糸縫製位置
Ａ：パターン作成工程
Ｂ：制御データ作成工程
Ｃ：縫製工程
Ｄ：水溶紙溶解工程
Ｃ１：平面状刺繍作製工程
Ｃ２：立体的装飾要素作製工程
【図１】
2018119225.tif 000003
【図２】
2018119225.tif 000004
【図３】
2018119225.tif 000005
【図４】
2018119225.tif 000006
【図５】
2018119225.tif 000007
【図６】
2018119225.tif 000008
【図７】
2018119225.tif 000009
【図８】
2018119225.tif 000010
【図９】
2018119225.tif 000011
【図１０】
2018119225.tif 000012
【手続補正書】
【提出日】平成29年6月26日(2017.6.26)
【手続補正１】
【補正対象書類名】明細書
【補正対象項目名】全文
【補正方法】変更
【補正の内容】
【発明の詳細な説明】
【技術分野】
【０００１】
本発明はアクセサリーの製作方法に係り、特に、刺繍糸により縫製されたアクセサリーの製作方法に関する。
【背景技術】
【０００２】
ネックレスやブレスレット等の様々なアクセサリーが広く使用されている。しかしながら、いずれのアクセサリーも全体が金属製のものが多く、使用者が装着した場合には相応の重量感を伴うものであり、長時間の使用には煩わしさが伴うこともある。
【０００３】
また、使用者が金属製のネックレスやブレスレットを装着した場合には金属の質感を感じざるをえず、長時間装着し続けた場合には違和感を感じることが多い、という事情もあった。さらに、金属製のアクセサリーにあっては、使用者が金属アレルギーの場合には装着が不可能となる場合もあった。
【０００４】
一方、合成樹脂により装飾部が作成されたアクセサリーも存在するがアクセサリーとしての高級感に欠けるため用途が限定されてしまうものであった。
従って、以前より、軽量であって、長時間使用しても煩わしさや違和感を感じさせることのなく、金属アレルギーの使用者であっても使用でき、高級感を醸し出せるアクセサリーが要望されていた。このような観点から本件出願人は従来技術に関する調査を行い以下の文献を抽出した。
【先行技術文献】
【特許文献】
【０００５】
【特許文献１】特表２００３−５２００８３号公報
【特許文献２】特開２０１２−９５８９８号公報
【特許文献３】実用新案登録第３０６７５７３号公報
【特許文献４】実用新案登録第３０６６１０５号公報
【特許文献５】特開昭６３−２１１３８７号公報
【特許文献６】特開２０１３−１４６３６７号公報
【発明の概要】
【発明が解決しようとする課題】
【０００６】
しかしながら、特許文献１に開示された技術は、「装身用網目構造物を製造する方法と該方法によって得られる網目構造物」に関するものであり、縦糸及び横糸により網目構造を形成し、縦糸及び横糸に多数の玉または環状スリーブを挿通させて形成するものであり、全体がすべて糸により形成されるものではないことから、全体として所定の重量感があり、前記要請には応えられない。
【０００７】
また、特許文献２に開示された技術はビーズアクセサリーに関するものであり、前記同様の問題がある。特許文献３に開示された技術は金属製筒状体を絞り加工して装飾用鎖を形成するものであり、特許文献４は装飾チェーンに止め金具を装着した使用するものであり、いずれも前記の要請に応えられるものではない。
【０００８】
また、特許文献５及び６には、水溶紙に刺繍を施して平面状の透かし模様を含む単独の刺繍模様を作成する技術や、複数の刺繍模様を接続してより大きな透かし模様を作成するための刺繍データを作成する刺繍データ作成装置が開示されているが、装身できるようなアクセサリーを作製する技術ではなく、前記の要請に応えられるものではない。
【０００９】
そこで、本発明の課題は、軽量であって、長時間使用しても煩わしさや違和感を感じさせることがなく、金属アレルギーの使用者であっても問題なく使用でき、高級感を醸し出せ、用途が限定されないアクセサリーを提供することにある。
【課題を解決するための手段】
【００１０】
前記課題を解決するために、請求項１記載の発明にあっては、機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備え、
前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とする。
【００１１】
従って、前記パターン作成工程によって、製作するアクセサリーのパターンが作成され、前記制御データ作成工程によって、前記パターンに基づき前記機械ミシンの縫製針の作動を制御する制御データが作成され、前記縫製工程によって、前記制御データに基づき前記機械ミシンの縫製針により水溶紙上に前記刺繍糸が打ち込まれ、前記パターンに従って水溶紙上に刺繍糸によりアクセサリーが縫製され、前記水溶紙溶解工程によって、前記アクセサリーが縫製された水溶紙が水に含浸され水溶紙が溶かされ、前記アクサセリーが得られる。
その結果、機械ミシンを使用して水溶紙を介してあらかじめ作成したパターンに基づき、刺繍により形成された、全体として立体的な印象を与えるアクセサリーが製作されるように構成されている。ここで「水溶紙」とは、水やお湯に浸した場合には溶解する紙の総称である。
【００１２】
また、請求項１記載の発明にあっては、前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とする。
【００１３】
従って、前記機械ミシンの上糸及び下糸によって、水溶紙の表面部及び裏面部に、夫々、平面状の刺繍を基礎とした立体的に形成された装飾要素が作製される。
【００１４】
請求項２記載の発明にあっては、前記装飾要素は、複数の球状装飾部と、前記複数の球状装飾部を相互に接合する紐状接続部とを有することを特徴とする。
【００１５】
請求項３記載の発明にあっては、前記球状装飾部は、互いに所定間隔をおいて設けられていることを特徴とする。
【００１６】
請求項４記載の発明にあっては、前記球状装飾部は、互いに当接し連続して設けられていることを特徴とする。
【００１７】
請求項５記載の発明にあっては、前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする。
従って、全体としてマス目状に形成されたアクセサリーが製作される。
【００１８】
請求項６記載の発明にあっては、前記球状装飾部は、前記紐状接続部の長さ方向に沿って互いに当接すると共に前記紐状接続部の径方向において互いに当接して、前記紐状接続部の径方向において複数列に設けられていることを特徴とする。
従って、全体として前記紐状接続部の径方向において前記球状装飾部が複数列に設けられたアクセサリーが製作される。
【発明の効果】
【００１９】
請求項１〜６記載の発明にあっては、機械ミシンを使用して水溶紙を介してあらかじめ作成したパターンに基づき、刺繍糸により形成された立体的な装飾要素を備え、全体として立体的な印象を与えるアクセサリーが製作される。
その結果、立体的な装飾要素を備えていても、金属製の素材を使用していないことから、
軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００２０】
特に、請求項１記載の発明にあっては、前記機械ミシンの上糸及び下糸によって、水溶紙の表面部及び裏面部に、夫々、平面状の刺繍を基礎として立体的に形成された装飾要素が作製されるので、形成された装飾要素はほつれにくく耐久性を有する。
その結果、軽量でありつつ、十分な耐久性を有する刺繍からなるアクセサリーを提供することができる。
【００２１】
請求項２〜６記載の発明にあっては、全体として複雑な形状を有するアクセサリーを作製することができ、その結果、需要者への訴求効果の高いアクサセリーを容易に作製することができる。
【図面の簡単な説明】
【００２２】
【図１】図１（ａ）は、本発明に係るアクセサリーの製作方法の一実施の形態において、アクセサリーの製作方法の工程の流れを示すフローチャートであり、図１（ｂ）は、図１（ａ）中の縫製工程の流れを示すフローチャートである。
【図２】図２は、本発明に係るアクセサリーの製作方法の一実施の形態において、機械ミシンを示す斜視図である。
【図３】図３は、本発明に係るアクセサリーの製作方法の一実施の形態において、機械ミシンによって水溶紙上に刺繍糸によりアクセサリーを縫製している状態を示す斜視図である。
【図４】図４は、本発明に係るアクセサリーの製作方法の一実施の形態において、機械ミシンにおける上糸を繰り出す装置を示す斜視図である。
【図５】図５は、本発明に係るアクセサリーの製作方法の一実施の形態において、機械ミシンにおける下糸を繰り出す装置を示す斜視図である。
【図６】図６（ａ）は、本発明に係るアクセサリーの製作方法の一実施の形態において、機械ミシンによって水溶紙上に刺繍糸により平面状の刺繍が縫製された状態を示す断面図、図６（ｂ）は、機械ミシンによって平面状の刺繍が縫製された水溶紙上に立体状の装飾要素が縫製された状態を示す断面図である。
【図７】図７は、本発明に係るアクセサリーの製作方法の一実施の形態において、機械ミシンによって水溶紙上に刺繍糸により刺繍を縫製する際の刺繍針を落とす位置と、刺繍針によって刺繍糸が縫製される位置とを描画イメージとして作成した刺繍パターンを示す概念図である。
【図８】図８は、本発明に係るアクセサリーの製作方法によって製作されたアクセサリーの第一の実施の形態を示す斜視図である。
【図９】図９（ａ）、（ｂ）、（ｃ）は、本発明に係るアクセサリーの製作方法によって製作されたアクセサリーの第二の実施の形態を示す斜視図である。
【図１０】図１０は、本発明に係るアクセサリーの製作方法によって製作されたアクセサリーの第三の実施の形態を示す斜視図である。
【発明を実施するための形態】
【００２３】
以下、本発明に係るアクセサリーの製作方法を実施の形態に基づき、図面を参照して詳細に説明する。
図１（ａ）に示すように、本実施の形態に係るアクセサリーの製作方法は、機械ミシンにより刺繍糸で縫製して立体的に形成された装飾要素を有するアクセサリーの製作方法として構成されており、製作するアクセサリーのパターンをコンピュータソフトウェアを用いて作成するパターン作成工程Ａと、前記パターンに基づき前記機械ミシンの縫製針の作動を制御する制御データを作成する制御データ作成工程Ｂと、前記制御データに基づき前記機械ミシンの縫製針により水溶紙上に前記刺繍糸を打ち込み、前記パターンに従って水溶紙上に刺繍糸によりアクセサリーを縫製する縫製工程Ｃと、前記アクセサリーが縫製された水溶紙を水に含浸させて水溶紙を溶かし前記アクセサリーを得る水溶紙溶解工程Ｄとを備えている。
【００２４】
また、図１（ｂ）に示すように、縫製工程Ｃは、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程Ｃ１と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程Ｃ２とを備えている。
【００２５】
図２に示すように、本実施の形態において使用される機械ミシン１０は、複数機の機械ミシン装置１１が並列に連装されており、複数のアクセサリーを同時並行的に作製できるように構成されている。本実施の形態に係る機械ミシン装置１１は、チェーンステッチが可能な刺繍機を使用している。
【００２６】
図２〜図４に示すように、本実施の形態に係る機械ミシン装置１１は、ミシン本体部１２と、ミシン本体部１２を駆動する駆動部（図示せず）と、被縫製体を載置する縫製台１３と、駆動部により駆動される回転軸部（図示せず）と、回転軸部に装着され、上糸（刺繍糸）１４が巻装される複数個のボビン（図示せず）と、ボビンに巻装された上糸１４を打ち込んで縫製する刺繍針１５とを備えている。
図２〜図４に示すように、本実施の形態に係るミシン本体部１２には、上糸１４を挿通させる合成樹脂製のスパイラルチューブ１６と、上糸１４の張力を調整しうるロータリーテンションディスク１７と、刺繍針１５へ上糸１４を誘導する誘導部１８と、被縫製体を縫製台１３との間で挟持する布押さえ１９とを有している。
また、図２に示すように、本実施の形態に係る機械ミシン装置１１には、鎖状に刺繍を行うチェーンステッチを施すためのチェーンステッチ用頭部２０、チェーンステッチに用いるスパンコールを供給するスパンコール供給部６１が設けられている。
【００２７】
図５は、縫製台１３の下方から見た斜視図である。図５に示すように、本実施の形態に係るミシン本体部１２には、縫製台１３のボビンケース（図示せず）に巻装された下糸（刺繍糸）２１を繰り出す釜２２と、釜２２を回転させる駆動部２３とを有し、釜２２に連設された剣先（図示せず）が上糸１４と係合し、下糸２１と絡ませて縫合することによって球状等の立体的な刺繍が縫製されるように構成されている。
【００２８】
これらの機械ミシン装置１１はコンピュータ制御により作動する。即ち、製作者が適宜、接続されたコンピュータ（図示せず）のディスプレイ上においてマウス等の入力装置を使用して所定のソフトウェアにより、図７に示すような描画イメージとして作成した刺繍パターン６２を、ＣＰＵにより電子データに変換して数値し、ＣＰＵは数値化された電子データに基づき、適宜、駆動部を制御して、針の打ち込み方向、間隔、ステッチの種類、送り出す刺繍糸の種類、刺繍糸の送り出し量、使用するステッチの種類等を適宜制御できるように構成されている。
【００２９】
従って、本実施の形態におけるパターン作成工程Ａ、及び、制御データ作成工程Ｂは、コンピュータ処理により自動的に行われる。
【００３０】
また、本実施の形態にあっては、製作する刺繍アクセサリーは適宜の水溶紙上に縫製して作製される。
即ち、本実施の形態に係る刺繍アクセサリーの製作方法における縫製工程Ｃは、縫製台１３上に適宜のスペックの水溶紙２４を載置し、水溶紙２４上に対して刺繍針１５を前記コンピュータ制御により、適宜の角度、適宜の間隔、適宜の刺繍糸を使用して適宜のステッチを用いることにより水溶紙２４上に目的とする刺繍アクセサリーを縫製して形成するように構成されている。
【００３１】
また、特に、本実施の形態に係る縫製工程Ｃにあっては、平面状の刺繍を作製する工程Ｃ１と、立体的に形成された装飾要素を作製する工程Ｃ２とを有している。
図６（ａ）に示すように、平面状の刺繍を作製する工程Ｃ１は、水溶紙２４の表面部２５及び裏面部２６において、機械ミシンの上糸１４を表面部２５に、機械ミシンの下糸２１を裏面部２６に夫々縫製し、表面部２５及び裏面部２６に夫々、平面状の刺繍２７、２８を作製するように構成されている。図示しないが、本実施の形態において、上糸１４と下糸２１とは水溶紙２４を介して縫合されている。
【００３２】
続いて、図６（ｂ）に示すように、立体的に形成された装飾要素を作製する工程Ｃ２は、水溶紙２４の表面部２５及び裏面部２６に作製された平面状の刺繍２７、２８に機械ミシンの上糸１４及び下糸２１を夫々縫製し、表面部２５及び裏面部２６に夫々、立体的に形成された装飾要素２９、３０を作製するように構成されている。
【００３３】
より具体的には、図２〜図５に示すように、布押さえ１９と縫製台１３との間で挟持された水溶紙２４に対して、スパイラルチューブ１６を通り、ロータリーテンションディスク１７によって張力を調整しながら誘導部１８によって誘導された上糸１４を、刺繍針１５によって打ち込む。
続いて、縫製台１３の下方において、駆動部２３により回転する釜２２から繰り出された下糸２１が、釜２２が有する剣先によって上糸１４と係合し、その後、下糸２１と係合した状態で、上糸１４が刺繍針１５によって打ち込まれることによって、刺繍糸１４、２１が水溶紙２４に対して縫製される。
本実施の形態にあっては、水溶紙２４の同じ位置に対して複数回刺繍針１５を打ち込むことによって、刺繍糸１４、２１が水溶紙２４の厚さ方向に重なるように縫製される。その結果、図６（ｂ）に示すように、立体状の装飾要素２９、３０が形成される。
【００３４】
この際、図７に示すように、本実施の形態に係る刺繍針１５は、機械ミシン装置１１と接続されたコンピュータ（図示せず）において、所定のソフトウェアにより描画イメージとして作成した刺繍パターン６２に基づいて、制御される。
図７に示すように、本実施の形態に係る刺繍パターン６２は、球状の装飾要素を縫製する場合のパターンであって、刺繍パターン６２には、刺繍針１５が打ち込まれる位置を示す、同心円状であって、径方向及び周方向に所定間隔寸法離間して配置された刺繍針打込位置６３と、刺繍針打込位置６３に刺繍針１５を打ち込んだ際に刺繍糸１４、２１が縫製される位置を示す刺繍糸縫製位置６４とが表示されている。
図７に示すように、本実施の形態にあっては、刺繍針１５が打ち込まれる位置を約０．５ｍｍ間隔で僅かに変化させ、偏りなく球状の装飾要素が形成されるように構成されている。
【００３５】
その後、水溶紙溶解工程Ｄにおいて、アクセサリーが縫製された水溶紙を水に含侵させて水溶紙を溶かし前記アクセサリーを得るものである。
前記したように、上糸と下糸とは水溶紙を介して縫合されているため、水溶紙溶解工程Ｄによって水溶紙を溶かした場合であっても、立体的に形成された装飾要素２９、３０は分離することなく、一体に形成された装飾要素として形成される。
すなわち、図６に示すように、本実施の形態にあっては、水溶紙２４の表面部２５及び裏面部２６に夫々、半球状の装飾要素２９、３０を形成しており、この場合には、水溶紙溶解工程Ｄによって、水溶紙を溶かし、球状の装飾要素を有するアクセサリーを得ることができる。
【００３６】
このような製造方法により作成される刺繍アクセサリーには、様々なバリエーションが存在する。
図８は、第一の実施形態であるネックレス型の刺繍アクセサリー３０を示し、本実施の形態に係る刺繍アクセサリー３０にあっては、アクセサリーを構成する装飾要素３１は立体的に形成されている。
図８に示すように、本実施の形態に係る装飾要素３１は複数の球状装飾部３２ａ、３２ｂ・・・と、複数の球状装飾部３２ａ、３２ｂ・・・を相互に接合する紐状接続部３３、３３・・・とにより構成されている。
図８に示すように、本実施の形態に係る球状装飾部は、約１ｃｍの径寸法を有する大球状装飾部３２ａと、約５ｍｍの径寸法を有する小球状装飾部３２ｂとにより構成されている。
また、図８に示すように、本実施の形態に係る刺繍アクセサリー３０には、アクセサリーの端部同士を接合して、首に巻装するための接合部材３４と、接合部材３４に接合する引き輪部材３５とを有している。
【００３７】
図９は、第二の実施形態であるネックレス型の刺繍アクセサリー４０を示し、図９（ａ）、（ｂ）、（ｃ）には、夫々、色彩の異なる３種類の刺繍アクセサリー４０ａ、４０ｂ、４０ｃを示す。ここでは、刺繍アクセサリー４０ａを例に説明する。
図９（ａ）に示すように、本実施の形態に係る刺繍アクセサリー４０ａは、複数の球状装飾部４１、４１・・・と、複数の球状装飾部４１、４１・・・を相互に接合する紐状接続部４２、４２・・・とにより構成されている。
図９（ａ）に示すように、本実施の形態に係る球状装飾部４１は、約１ｃｍの径寸法を有する球状の装飾部として構成されている。
また、図９（ａ）に示すように、本実施の形態に係る刺繍アクセサリー４０ａには、アクセサリーの端部同士を接合して、首に巻装するための接合部材４３が設けられている。
なお、刺繍アクセサリー４０ｂ、４０ｃにおいては、刺繍アクセサリー４０ａの構成と同一であり、同一符号で表すことにより説明を省略する。
【００３８】
図１０は、第三の実施形態であるネックレス型の刺繍アクセサリー５０である。図１０に示すように、本実施の形態に係る刺繍アクセサリー５０は、複数の球状装飾部５１、５１・・・と、複数の球状装飾部５１、５１・・・を相互に接合する紐状接続部５２、５２・・・とにより構成されている。
図１０に示すように、本実施の形態にあっては、球状装飾部５１、５１・・・は相互に所定間隔を置いて平面十字方向に所定間隔をおいて上下左右方向に連続して配置されると共に、紐状接続部５２、５２は前記十字方向に配置された複数の球状装飾部５１、５１・・・の間に配置されて球状装飾部５１、５１・・・を相互に接合し、全体としてマス目状に形成されている。
【００３９】
以下、本実施の形態に係るアクセサリーの製作方法の効果について、図を参照しながら詳細に説明する。
【００４０】
図１〜図７に示すように、本実施の形態に係るアクセサリーの製作方法にあっては、機械ミシン１０を使用して水溶紙２４を介してあらかじめ作成したパターンに基づき、刺繍糸１４、２１により形成された立体的な装飾要素を備え、全体として立体的な印象を与えるアクセサリーが製作される。
その結果、立体的な装飾要素を備えていても、金属製の素材を使用していないことから軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００４１】
特に、図７に示すように、本実施の形態に係るアクセサリーの製作方法にあっては、機械ミシン１０の上糸１４及び下糸２１によって、水溶紙２４の表面部２５及び裏面部２６に、夫々、平面状の刺繍２７、２８を基礎として立体的に形成された装飾要素２９、３０が作製されるので、形成された装飾要素２９、３０はほつれにくく耐久性を有する。
その結果、軽量でありつつ、十分な耐久性を有する刺繍からなるアクセサリーを提供することができる。
【００４２】
また、本実施の形態に係るアクセサリーの製作方法にあっては、図８〜１０に示す刺繍アクセサリー３０、４０ａ、４０ｂのように、全体として複雑な形状を有するアクセサリーを作製することができ、その結果、需要者への訴求効果の高いアクサセリーを容易に作製することができる。
【産業上の利用可能性】
【００４３】
本発明は、アクセサリーの製作方法に広く適用可能であり、産業上利用可能性を有している。
【符号の説明】
【００４４】
１０：機械ミシン
１１：機械ミシン装置
１２：ミシン本体部
１３：縫製台
１４：上糸
１５：刺繍針
１６：スパイラルチューブ
１７：ロータリーテンションディスク
１８：誘導部
１９：布押さえ
２０：チェーンステッチ用頭部
２１：下糸
２２：釜
２３：駆動部
２４：水溶紙
２５：水溶紙の表面部
２６：水溶紙の裏面部
２７、２８：刺繍
２９：装飾要素
３０、４０、４０ａ、４０ｂ、４０ｃ、５０：刺繍アクセサリー
３１：装飾要素
３２：球状装飾部
３２ａ：大球状装飾部
３２ｂ：小球状装飾部
３３：紐状接続部
３４：接合部材
３５：引き輪部材
４１：球状装飾部
４２：紐状接続部
４３：接合部材
５１：球状装飾部
５２：紐状接続部
６１：スパンコール供給部
６２：刺繍パターン
６３：刺繍針打込位置
６４：刺繍糸縫製位置
Ａ：パターン作成工程
Ｂ：制御データ作成工程
Ｃ：縫製工程
Ｄ：水溶紙溶解工程
Ｃ１：平面状刺繍作製工程
Ｃ２：立体的装飾要素作製工程
【手続補正２】
【補正対象書類名】特許請求の範囲
【補正対象項目名】全文
【補正方法】変更
【補正の内容】
【特許請求の範囲】
【請求項１】
機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備え、
前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とするアクセサリーの製作方法。
【請求項２】
前記装飾要素は、複数の球状装飾部と、前記複数の球状装飾部を相互に接合する紐状接続部とを有することを特徴とする請求項１記載のアクセサリーの製作方法。
【請求項３】
前記球状装飾部は、互いに所定間隔をおいて設けられていることを特徴とする請求項２記載のアクセサリーの製作方法。
【請求項４】
前記球状装飾部は、互いに当接し連続して設けられていることを特徴とする請求項２記載のアクセサリーの製作方法。
【請求項５】
前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする請求項３記載のアクセサリーの製作方法。
【請求項６】
前記球状装飾部は、前記紐状接続部の長さ方向に沿って互いに当接すると共に前記紐状接続部の径方向において互いに当接して、前記紐状接続部の径方向において複数列に設けられていることを特徴とする請求項４記載のアクセサリーの製作方法。
【手続補正書】
【提出日】平成29年10月3日(2017.10.3)
【手続補正１】
【補正対象書類名】明細書
【補正対象項目名】全文
【補正方法】変更
【補正の内容】
【発明の詳細な説明】
【技術分野】
【０００１】
本発明はアクセサリーの製作方法に係り、特に、刺繍糸により縫製されたアクセサリーの製作方法に関する。
【背景技術】
【０００２】
ネックレスやブレスレット等の様々なアクセサリーが広く使用されている。しかしながら、いずれのアクセサリーも全体が金属製のものが多く、使用者が装着した場合には相応の重量感を伴うものであり、長時間の使用には煩わしさが伴うこともある。
【０００３】
また、使用者が金属製のネックレスやブレスレットを装着した場合には金属の質感を感じざるをえず、長時間装着し続けた場合には違和感を感じることが多い、という事情もあった。さらに、金属製のアクセサリーにあっては、使用者が金属アレルギーの場合には装着が不可能となる場合もあった。
【０００４】
一方、合成樹脂により装飾部が作成されたアクセサリーも存在するがアクセサリーとしての高級感に欠けるため用途が限定されてしまうものであった。
従って、以前より、軽量であって、長時間使用しても煩わしさや違和感を感じさせることのなく、金属アレルギーの使用者であっても使用でき、高級感を醸し出せるアクセサリーが要望されていた。このような観点から本件出願人は従来技術に関する調査を行い以下の文献を抽出した。
【先行技術文献】
【特許文献】
【０００５】
【特許文献１】特表２００３−５２００８３号公報
【特許文献２】特開２０１２−９５８９８号公報
【特許文献３】実用新案登録第３０６７５７３号公報
【特許文献４】実用新案登録第３０６６１０５号公報
【特許文献５】特開昭６３−２１１３８７号公報
【特許文献６】特開２０１３−１４６３６７号公報
【発明の概要】
【発明が解決しようとする課題】
【０００６】
しかしながら、特許文献１に開示された技術は、「装身用網目構造物を製造する方法と該方法によって得られる網目構造物」に関するものであり、縦糸及び横糸により網目構造を形成し、縦糸及び横糸に多数の玉または環状スリーブを挿通させて形成するものであり、全体がすべて糸により形成されるものではないことから、全体として所定の重量感があり、前記要請には応えられない。
【０００７】
また、特許文献２に開示された技術はビーズアクセサリーに関するものであり、前記同様の問題がある。特許文献３に開示された技術は金属製筒状体を絞り加工して装飾用鎖を形成するものであり、特許文献４は装飾チェーンに止め金具を装着した使用するものであり、いずれも前記の要請に応えられるものではない。
【０００８】
また、特許文献５及び６には、水溶紙に刺繍を施して平面状の透かし模様を含む単独の刺繍模様を作成する技術や、複数の刺繍模様を接続してより大きな透かし模様を作成するための刺繍データを作成する刺繍データ作成装置が開示されているが、装身できるようなアクセサリーを作製する技術ではなく、前記の要請に応えられるものではない。
【０００９】
そこで、本発明の課題は、軽量であって、長時間使用しても煩わしさや違和感を感じさせることがなく、金属アレルギーの使用者であっても問題なく使用でき、高級感を醸し出せ、用途が限定されないアクセサリーを提供することにある。
【課題を解決するための手段】
【００１０】
前記課題を解決するために、請求項１記載の発明にあっては、機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備え、
前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備え、
前記装飾要素は、複数の球状装飾部と、前記複数の球状装飾部を相互に接合する紐状接続部とを有することを特徴とする。
【００１１】
従って、前記パターン作成工程によって、製作するアクセサリーのパターンが作成され、前記制御データ作成工程によって、前記パターンに基づき前記機械ミシンの縫製針の作動を制御する制御データが作成され、前記縫製工程によって、前記制御データに基づき前記機械ミシンの縫製針により水溶紙上に前記刺繍糸が打ち込まれ、前記パターンに従って水溶紙上に刺繍糸によりアクセサリーが縫製され、前記水溶紙溶解工程によって、前記アクセサリーが縫製された水溶紙が水に含浸され水溶紙が溶かされ、前記アクサセリーが得られる。
その結果、機械ミシンを使用して水溶紙を介してあらかじめ作成したパターンに基づき、刺繍により形成された、全体として立体的な印象を与えるアクセサリーが製作されるように構成されている。ここで「水溶紙」とは、水やお湯に浸した場合には溶解する紙の総称である。
【００１２】
また、請求項１記載の発明にあっては、前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備えたことを特徴とする。
【００１３】
従って、前記機械ミシンの上糸及び下糸によって、水溶紙の表面部及び裏面部に、夫々、平面状の刺繍を基礎とした立体的に形成された装飾要素が作製される。
【００１４】
また、請求項１記載の発明にあっては、前記装飾要素は、複数の球状装飾部と、前記複数の球状装飾部を相互に接合する紐状接続部とを有することを特徴とする。
【００１５】
請求項２記載の発明にあっては、前記球状装飾部は、互いに所定間隔をおいて設けられていることを特徴とする。
【００１６】
請求項３記載の発明にあっては、前記球状装飾部は、互いに当接し連続して設けられていることを特徴とする。
【００１７】
請求項４記載の発明にあっては、前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする。
従って、全体としてマス目状に形成されたアクセサリーが製作される。
【００１８】
請求項５記載の発明にあっては、前記球状装飾部は、前記紐状接続部の長さ方向に沿って互いに当接すると共に前記紐状接続部の径方向において互いに当接して、前記紐状接続部の径方向において複数列に設けられていることを特徴とする。
従って、全体として前記紐状接続部の径方向において前記球状装飾部が複数列に設けられたアクセサリーが製作される。
【発明の効果】
【００１９】
請求項１〜５記載の発明にあっては、機械ミシンを使用して水溶紙を介してあらかじめ作成したパターンに基づき、刺繍糸により形成された立体的な装飾要素を備え、全体として立体的な印象を与えるアクセサリーが製作される。
その結果、立体的な装飾要素を備えていても、金属製の素材を使用していないことから、
軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００２０】
特に、請求項１記載の発明にあっては、前記機械ミシンの上糸及び下糸によって、水溶紙の表面部及び裏面部に、夫々、平面状の刺繍を基礎として立体的に形成された装飾要素が作製されるので、形成された装飾要素はほつれにくく耐久性を有する。
その結果、軽量でありつつ、十分な耐久性を有する刺繍からなるアクセサリーを提供することができる。
【００２１】
請求項２〜５記載の発明にあっては、全体として複雑な形状を有するアクセサリーを作製することができ、その結果、需要者への訴求効果の高いアクサセリーを容易に作製することができる。
【図面の簡単な説明】
【００２２】
【図１】図１（ａ）は、本発明に係るアクセサリーの製作方法の一実施の形態において、アクセサリーの製作方法の工程の流れを示すフローチャートであり、図１（ｂ）は、図１（ａ）中の縫製工程の流れを示すフローチャートである。
【図２】図２は、本発明に係るアクセサリーの製作方法の一実施の形態において、機械ミシンを示す斜視図である。
【図３】図３は、本発明に係るアクセサリーの製作方法の一実施の形態において、機械ミシンによって水溶紙上に刺繍糸によりアクセサリーを縫製している状態を示す斜視図である。
【図４】図４は、本発明に係るアクセサリーの製作方法の一実施の形態において、機械ミシンにおける上糸を繰り出す装置を示す斜視図である。
【図５】図５は、本発明に係るアクセサリーの製作方法の一実施の形態において、機械ミシンにおける下糸を繰り出す装置を示す斜視図である。
【図６】図６（ａ）は、本発明に係るアクセサリーの製作方法の一実施の形態において、機械ミシンによって水溶紙上に刺繍糸により平面状の刺繍が縫製された状態を示す断面図、図６（ｂ）は、機械ミシンによって平面状の刺繍が縫製された水溶紙上に立体状の装飾要素が縫製された状態を示す断面図である。
【図７】図７は、本発明に係るアクセサリーの製作方法の一実施の形態において、機械ミシンによって水溶紙上に刺繍糸により刺繍を縫製する際の刺繍針を落とす位置と、刺繍針によって刺繍糸が縫製される位置とを描画イメージとして作成した刺繍パターンを示す概念図である。
【図８】図８は、本発明に係るアクセサリーの製作方法によって製作されたアクセサリーの第一の実施の形態を示す斜視図である。
【図９】図９（ａ）、（ｂ）、（ｃ）は、本発明に係るアクセサリーの製作方法によって製作されたアクセサリーの第二の実施の形態を示す斜視図である。
【図１０】図１０は、本発明に係るアクセサリーの製作方法によって製作されたアクセサリーの第三の実施の形態を示す斜視図である。
【発明を実施するための形態】
【００２３】
以下、本発明に係るアクセサリーの製作方法を実施の形態に基づき、図面を参照して詳細に説明する。
図１（ａ）に示すように、本実施の形態に係るアクセサリーの製作方法は、機械ミシンにより刺繍糸で縫製して立体的に形成された装飾要素を有するアクセサリーの製作方法として構成されており、製作するアクセサリーのパターンをコンピュータソフトウェアを用いて作成するパターン作成工程Ａと、前記パターンに基づき前記機械ミシンの縫製針の作動を制御する制御データを作成する制御データ作成工程Ｂと、前記制御データに基づき前記機械ミシンの縫製針により水溶紙上に前記刺繍糸を打ち込み、前記パターンに従って水溶紙上に刺繍糸によりアクセサリーを縫製する縫製工程Ｃと、前記アクセサリーが縫製された水溶紙を水に含浸させて水溶紙を溶かし前記アクセサリーを得る水溶紙溶解工程Ｄとを備えている。
【００２４】
また、図１（ｂ）に示すように、縫製工程Ｃは、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程Ｃ１と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程Ｃ２とを備えている。
【００２５】
図２に示すように、本実施の形態において使用される機械ミシン１０は、複数機の機械ミシン装置１１が並列に連装されており、複数のアクセサリーを同時並行的に作製できるように構成されている。本実施の形態に係る機械ミシン装置１１は、チェーンステッチが可能な刺繍機を使用している。
【００２６】
図２〜図４に示すように、本実施の形態に係る機械ミシン装置１１は、ミシン本体部１２と、ミシン本体部１２を駆動する駆動部（図示せず）と、被縫製体を載置する縫製台１３と、駆動部により駆動される回転軸部（図示せず）と、回転軸部に装着され、上糸（刺繍糸）１４が巻装される複数個のボビン（図示せず）と、ボビンに巻装された上糸１４を打ち込んで縫製する刺繍針１５とを備えている。
図２〜図４に示すように、本実施の形態に係るミシン本体部１２には、上糸１４を挿通させる合成樹脂製のスパイラルチューブ１６と、上糸１４の張力を調整しうるロータリーテンションディスク１７と、刺繍針１５へ上糸１４を誘導する誘導部１８と、被縫製体を縫製台１３との間で挟持する布押さえ１９とを有している。
また、図２に示すように、本実施の形態に係る機械ミシン装置１１には、鎖状に刺繍を行うチェーンステッチを施すためのチェーンステッチ用頭部２０、チェーンステッチに用いるスパンコールを供給するスパンコール供給部６１が設けられている。
【００２７】
図５は、縫製台１３の下方から見た斜視図である。図５に示すように、本実施の形態に係るミシン本体部１２には、縫製台１３のボビンケース（図示せず）に巻装された下糸（刺繍糸）２１を繰り出す釜２２と、釜２２を回転させる駆動部２３とを有し、釜２２に連設された剣先（図示せず）が上糸１４と係合し、下糸２１と絡ませて縫合することによって球状等の立体的な刺繍が縫製されるように構成されている。
【００２８】
これらの機械ミシン装置１１はコンピュータ制御により作動する。即ち、製作者が適宜、接続されたコンピュータ（図示せず）のディスプレイ上においてマウス等の入力装置を使用して所定のソフトウェアにより、図７に示すような描画イメージとして作成した刺繍パターン６２を、ＣＰＵにより電子データに変換して数値し、ＣＰＵは数値化された電子データに基づき、適宜、駆動部を制御して、針の打ち込み方向、間隔、ステッチの種類、送り出す刺繍糸の種類、刺繍糸の送り出し量、使用するステッチの種類等を適宜制御できるように構成されている。
【００２９】
従って、本実施の形態におけるパターン作成工程Ａ、及び、制御データ作成工程Ｂは、コンピュータ処理により自動的に行われる。
【００３０】
また、本実施の形態にあっては、製作する刺繍アクセサリーは適宜の水溶紙上に縫製して作製される。
即ち、本実施の形態に係る刺繍アクセサリーの製作方法における縫製工程Ｃは、縫製台１３上に適宜のスペックの水溶紙２４を載置し、水溶紙２４上に対して刺繍針１５を前記コンピュータ制御により、適宜の角度、適宜の間隔、適宜の刺繍糸を使用して適宜のステッチを用いることにより水溶紙２４上に目的とする刺繍アクセサリーを縫製して形成するように構成されている。
【００３１】
また、特に、本実施の形態に係る縫製工程Ｃにあっては、平面状の刺繍を作製する工程Ｃ１と、立体的に形成された装飾要素を作製する工程Ｃ２とを有している。
図６（ａ）に示すように、平面状の刺繍を作製する工程Ｃ１は、水溶紙２４の表面部２５及び裏面部２６において、機械ミシンの上糸１４を表面部２５に、機械ミシンの下糸２１を裏面部２６に夫々縫製し、表面部２５及び裏面部２６に夫々、平面状の刺繍２７、２８を作製するように構成されている。図示しないが、本実施の形態において、上糸１４と下糸２１とは水溶紙２４を介して縫合されている。
【００３２】
続いて、図６（ｂ）に示すように、立体的に形成された装飾要素を作製する工程Ｃ２は、水溶紙２４の表面部２５及び裏面部２６に作製された平面状の刺繍２７、２８に機械ミシンの上糸１４及び下糸２１を夫々縫製し、表面部２５及び裏面部２６に夫々、立体的に形成された装飾要素２９、３０を作製するように構成されている。
【００３３】
より具体的には、図２〜図５に示すように、布押さえ１９と縫製台１３との間で挟持された水溶紙２４に対して、スパイラルチューブ１６を通り、ロータリーテンションディスク１７によって張力を調整しながら誘導部１８によって誘導された上糸１４を、刺繍針１５によって打ち込む。
続いて、縫製台１３の下方において、駆動部２３により回転する釜２２から繰り出された下糸２１が、釜２２が有する剣先によって上糸１４と係合し、その後、下糸２１と係合した状態で、上糸１４が刺繍針１５によって打ち込まれることによって、刺繍糸１４、２１が水溶紙２４に対して縫製される。
本実施の形態にあっては、水溶紙２４の同じ位置に対して複数回刺繍針１５を打ち込むことによって、刺繍糸１４、２１が水溶紙２４の厚さ方向に重なるように縫製される。その結果、図６（ｂ）に示すように、立体状の装飾要素２９、３０が形成される。
【００３４】
この際、図７に示すように、本実施の形態に係る刺繍針１５は、機械ミシン装置１１と接続されたコンピュータ（図示せず）において、所定のソフトウェアにより描画イメージとして作成した刺繍パターン６２に基づいて、制御される。
図７に示すように、本実施の形態に係る刺繍パターン６２は、球状の装飾要素を縫製する場合のパターンであって、刺繍パターン６２には、刺繍針１５が打ち込まれる位置を示す、同心円状であって、径方向及び周方向に所定間隔寸法離間して配置された刺繍針打込位置６３と、刺繍針打込位置６３に刺繍針１５を打ち込んだ際に刺繍糸１４、２１が縫製される位置を示す刺繍糸縫製位置６４とが表示されている。
図７に示すように、本実施の形態にあっては、刺繍針１５が打ち込まれる位置を約０．５ｍｍ間隔で僅かに変化させ、偏りなく球状の装飾要素が形成されるように構成されている。
【００３５】
その後、水溶紙溶解工程Ｄにおいて、アクセサリーが縫製された水溶紙を水に含侵させて水溶紙を溶かし前記アクセサリーを得るものである。
前記したように、上糸と下糸とは水溶紙を介して縫合されているため、水溶紙溶解工程Ｄによって水溶紙を溶かした場合であっても、立体的に形成された装飾要素２９、３０は分離することなく、一体に形成された装飾要素として形成される。
すなわち、図６に示すように、本実施の形態にあっては、水溶紙２４の表面部２５及び裏面部２６に夫々、半球状の装飾要素２９、３０を形成しており、この場合には、水溶紙溶解工程Ｄによって、水溶紙を溶かし、球状の装飾要素を有するアクセサリーを得ることができる。
【００３６】
このような製造方法により作成される刺繍アクセサリーには、様々なバリエーションが存在する。
図８は、第一の実施形態であるネックレス型の刺繍アクセサリー３０を示し、本実施の形態に係る刺繍アクセサリー３０にあっては、アクセサリーを構成する装飾要素３１は立体的に形成されている。
図８に示すように、本実施の形態に係る装飾要素３１は複数の球状装飾部３２ａ、３２ｂ・・・と、複数の球状装飾部３２ａ、３２ｂ・・・を相互に接合する紐状接続部３３、３３・・・とにより構成されている。
図８に示すように、本実施の形態に係る球状装飾部は、約１ｃｍの径寸法を有する大球状装飾部３２ａと、約５ｍｍの径寸法を有する小球状装飾部３２ｂとにより構成されている。
また、図８に示すように、本実施の形態に係る刺繍アクセサリー３０には、アクセサリーの端部同士を接合して、首に巻装するための接合部材３４と、接合部材３４に接合する引き輪部材３５とを有している。
【００３７】
図９は、第二の実施形態であるネックレス型の刺繍アクセサリー４０を示し、図９（ａ）、（ｂ）、（ｃ）には、夫々、色彩の異なる３種類の刺繍アクセサリー４０ａ、４０ｂ、４０ｃを示す。ここでは、刺繍アクセサリー４０ａを例に説明する。
図９（ａ）に示すように、本実施の形態に係る刺繍アクセサリー４０ａは、複数の球状装飾部４１、４１・・・と、複数の球状装飾部４１、４１・・・を相互に接合する紐状接続部４２、４２・・・とにより構成されている。
図９（ａ）に示すように、本実施の形態に係る球状装飾部４１は、約１ｃｍの径寸法を有する球状の装飾部として構成されている。
また、図９（ａ）に示すように、本実施の形態に係る刺繍アクセサリー４０ａには、アクセサリーの端部同士を接合して、首に巻装するための接合部材４３が設けられている。
なお、刺繍アクセサリー４０ｂ、４０ｃにおいては、刺繍アクセサリー４０ａの構成と同一であり、同一符号で表すことにより説明を省略する。
【００３８】
図１０は、第三の実施形態であるネックレス型の刺繍アクセサリー５０である。図１０に示すように、本実施の形態に係る刺繍アクセサリー５０は、複数の球状装飾部５１、５１・・・と、複数の球状装飾部５１、５１・・・を相互に接合する紐状接続部５２、５２・・・とにより構成されている。
図１０に示すように、本実施の形態にあっては、球状装飾部５１、５１・・・は相互に所定間隔を置いて平面十字方向に所定間隔をおいて上下左右方向に連続して配置されると共に、紐状接続部５２、５２は前記十字方向に配置された複数の球状装飾部５１、５１・・・の間に配置されて球状装飾部５１、５１・・・を相互に接合し、全体としてマス目状に形成されている。
【００３９】
以下、本実施の形態に係るアクセサリーの製作方法の効果について、図を参照しながら詳細に説明する。
【００４０】
図１〜図７に示すように、本実施の形態に係るアクセサリーの製作方法にあっては、機械ミシン１０を使用して水溶紙２４を介してあらかじめ作成したパターンに基づき、刺繍糸１４、２１により形成された立体的な装飾要素を備え、全体として立体的な印象を与えるアクセサリーが製作される。
その結果、立体的な装飾要素を備えていても、金属製の素材を使用していないことから軽量であって、長時間使用しても煩わしさや違和感を感じさせることがなく、金属アレルギーの使用者であっても問題なく使用でき、また、合成樹脂製の立体的な装飾要素にはない高級感を醸し出せ、用途が限定されないアクセサリーを提供することができる。
【００４１】
特に、図７に示すように、本実施の形態に係るアクセサリーの製作方法にあっては、機械ミシン１０の上糸１４及び下糸２１によって、水溶紙２４の表面部２５及び裏面部２６に、夫々、平面状の刺繍２７、２８を基礎として立体的に形成された装飾要素２９、３０が作製されるので、形成された装飾要素２９、３０はほつれにくく耐久性を有する。
その結果、軽量でありつつ、十分な耐久性を有する刺繍からなるアクセサリーを提供することができる。
【００４２】
また、本実施の形態に係るアクセサリーの製作方法にあっては、図８〜１０に示す刺繍アクセサリー３０、４０ａ、４０ｂのように、全体として複雑な形状を有するアクセサリーを作製することができ、その結果、需要者への訴求効果の高いアクサセリーを容易に作製することができる。
【産業上の利用可能性】
【００４３】
本発明は、アクセサリーの製作方法に広く適用可能であり、産業上利用可能性を有している。
【符号の説明】
【００４４】
１０：機械ミシン
１１：機械ミシン装置
１２：ミシン本体部
１３：縫製台
１４：上糸
１５：刺繍針
１６：スパイラルチューブ
１７：ロータリーテンションディスク
１８：誘導部
１９：布押さえ
２０：チェーンステッチ用頭部
２１：下糸
２２：釜
２３：駆動部
２４：水溶紙
２５：水溶紙の表面部
２６：水溶紙の裏面部
２７、２８：刺繍
２９：装飾要素
３０、４０、４０ａ、４０ｂ、４０ｃ、５０：刺繍アクセサリー
３１：装飾要素
３２：球状装飾部
３２ａ：大球状装飾部
３２ｂ：小球状装飾部
３３：紐状接続部
３４：接合部材
３５：引き輪部材
４１：球状装飾部
４２：紐状接続部
４３：接合部材
５１：球状装飾部
５２：紐状接続部
６１：スパンコール供給部
６２：刺繍パターン
６３：刺繍針打込位置
６４：刺繍糸縫製位置
Ａ：パターン作成工程
Ｂ：制御データ作成工程
Ｃ：縫製工程
Ｄ：水溶紙溶解工程
Ｃ１：平面状刺繍作製工程
Ｃ２：立体的装飾要素作製工程
【手続補正２】
【補正対象書類名】特許請求の範囲
【補正対象項目名】全文
【補正方法】変更
【補正の内容】
【特許請求の範囲】
【請求項１】
機械ミシンにより刺繍糸で縫製して立体的に形成された装飾要素を有するアクセサリーの製作方法であって、製作するアクセサリーのパターンをコンピュータソフトウェアを用いて作成するパターン作成工程と、前記パターンに基づき前記機械ミシンの縫製針の作動を制御する制御データを作成する制御データ作成工程と、前記制御データに基づき前記機械ミシンの縫製針により水溶紙上に前記刺繍糸を打ち込み、前記パターンに従って水溶紙上に刺繍糸によりアクセサリーを縫製する縫製工程と、前記アクセサリーが縫製された水溶紙を水に含浸させて水溶紙を溶かし前記アクセサリーを得る水溶紙溶解工程とを備え、
前記縫製工程は、水溶紙の表面部及び裏面部において、前記機械ミシンの上糸を前記表面部に、前記機械ミシンの下糸を前記裏面部に夫々縫製し、前記表面部及び前記裏面部に夫々、平面状の刺繍を作製する工程と、前記表面部及び前記裏面部に作製された平面状の刺繍に前記機械ミシンの上糸及び下糸を夫々縫製し、前記表面部及び前記裏面部に夫々、立体的に形成された装飾要素を作製する工程とを備え、
前記装飾要素は、複数の球状装飾部と、前記複数の球状装飾部を相互に接合する紐状接続部とを有することを特徴とするアクセサリーの製作方法。
【請求項２】
前記球状装飾部は、互いに所定間隔をおいて設けられていることを特徴とする請求項１記載のアクセサリーの製作方法。
【請求項３】
前記球状装飾部は、互いに当接し連続して設けられていることを特徴とする請求項１記載のアクセサリーの製作方法。
【請求項４】
前記球状装飾部は相互に所定間隔を置いて平面十字方向に所定間隔をおいて上下左右方向に連続して配置されると共に、前記紐状接続部は前記十字方向に配置された複数の球状装飾部の間に配置されて前記球状装飾部を相互に接合し、全体としてマス目状に形成されていることを特徴とする請求項２記載のアクセサリーの製作方法。
【請求項５】
前記球状装飾部は、前記紐状接続部の長さ方向に沿って互いに当接すると共に前記紐状接続部の径方向において互いに当接して、前記紐状接続部の径方向において複数列に設けられていることを特徴とする請求項３記載のアクセサリーの製作方法。